(57)【要約】【課題】温もりのある外観で見た目がよく、しかも製造容易でトラス材の破損が起こりにくい木製トラス骨組部材を提供することを課題とする。【解決手段】木製トラス材２の両端面中央部に、棒材９を充填したパイプ４を嵌入し、前記パイプ４を前記トラス材１の外側面から打ち込んだドリフトピン５で固定し、前記パイプ４の前記トラス材端面からの露出部６において、グローブ１２に対する固定ボルト７を保持可能にして成る。ドリフトピン５は、複数直交方向に打ち込む。【選択図】図１
2005171498.tif 000002
【特許請求の範囲】
【請求項１】
木製トラス材の両端面中央部に、棒材を充填したパイプを嵌入し、前記パイプを前記トラス材の外側面から打ち込んだドリフトピンで固定し、前記パイプの前記トラス材端面からの露出部において、グローブに対する固定ボルトを保持可能にして成る木製トラス骨組部材。
【請求項２】
前記ドリフトピンを複数直交方向に打ち込んだ請求項１に記載の木製トラス骨組部材。
【発明の詳細な説明】
【技術分野】
【０００１】
本発明は、トラス骨組部材、より詳細には、体育館、大型展示場、公的施設等の大空間を有するトラスドーム等の建築物を構築するための立体トラス、ラチス梁等に用いる部材で、意匠的に優れた木製トラス骨組部材に関するものである。
【背景技術】
【０００２】
トラス骨組部材として、スチールパイプの両端を潰して連結用ボルト孔を形成したものがある。このトラス骨組部材は、複数、端部を重ねて連結用ボルト孔にボルトを通して連結していくものである。
【０００３】
このスチールパイプのトラス骨組部材の場合、スチールパイプがむき出しになっているため、外観美がないだけでなく、温もりを感ずることができず、むしろ寒さを覚えてしまうものである。
【０００４】
そこで、図４に示されるような、木製のトラス材３１の両端部に、グローブ３２とのジョイント金具３３を取付けてなる木製トラスであって、上記トラス材３１にその軸線に沿って両端面間に貫通する貫通孔３４を設け、この貫通孔３４に、両端がトラス材３１の端部から突出する軸材３５を挿通し、この軸材３５の両突出端部に上記ジョイント金具３３を固着したことを特徴とするものが提唱されている（実開平２−２５６０２号公報）。
【０００５】
しかるに、この木製トラス骨組部材の場合、特に、トラス３１が６０センチメートルを越えるような場合には、貫通孔３４を正確に真直に穿設することが困難であるという問題がある。
【０００６】
また、図５に示されるような、木製トラス材３１の両端部にほぞ穴３６を設け、そのほぞ穴３５に、グローブ３２にネジ込むネジを備えた金属板３７を挿入し、該金属板３７をトラス材３１の外側面からドリフトピン３８を打込むことによって固定した木製トラス骨組部材が提唱されている。
【０００７】
この木製トラス骨組部材の場合は、ほぞ穴３５部分で金属板３７を挟み付ける関係上、ほぞ穴３６の奥端部に亀裂が発生し、そこから割れが生じやすく、トラス構造の強度の弱体化を招くという問題がある。
【特許文献１】実開平２−２５６０２号公報
【発明の開示】
【発明が解決しようとする課題】
【０００８】
上述したように、従来の木製トラス骨組部材の場合には、加工が困難とか、トラス材の破損が起こりやすいとかいった問題があったので、本発明はそのような問題のない、即ち、温もりのある外観で見た目がよく、しかも製造容易でトラス材の破損が起こりにくい木製トラス骨組部材を提供することを課題とする。
【課題を解決するための手段】
【０００９】
本発明は、木製トラス材の両端面中央部に、棒材を充填したパイプを嵌入し、前記パイプを前記トラス材の外側面から打ち込んだドリフトピンで固定し、前記パイプの前記トラス材端面からの露出部において、グローブに対する固定ボルトを保持可能にして成る木製トラス骨組部材、を以て上記課題を解決した。
【発明の効果】
【００１０】
本発明に係る木製トラス骨組部材は、木製トラス材の両端面中央部に、棒材を充填したパイプを嵌入し、前記パイプを前記トラス材の外側面から打ち込んだドリフトピンで固定して成るものであって、トラス材全体が木材であるため、温もりがあって見た目のよい外観を呈し、また、製造容易でパイプの固定に無理がかからないので、トラス材のパイプ固定部分に破損が起こりにくいという効果がある。
【発明を実施するための最良の形態】
【００１１】
本発明の好ましい実施の形態を添付図面に依拠して説明する。本発明に係る木製トラス骨組部材は、木製のトラス材１の両端面中央部に、棒材９を充填したパイプ４を嵌入し、そのパイプ４を、トラス材１の外側面からドリフトピン５を打ち込むことによって固定し、パイプ４のトラス材１端面から露出する部分において、グローブ１２に対する固定ボルト７を保持可能にして成る。
【００１２】
トラス材１は通常四角柱であるが、他の形状、例えば、円柱、六角柱等であってもよい。トラス材１の両端面には、パイプ４を嵌装するためのパイプ孔２が、パイプ４の長さに対応する深さに穿設され、また、その側面に、ドリフトピン５を打ち込むためのピン孔３が、通例複数、交互に打ち込み方向を違えて穿設される。
【００１３】
パイプ４の一端面は全面開口され、他端面には円錐状に突出するスリーブ６が形成される。スリーブ６の中心開口部には、内側からボルト７が差し込まれる。ボルト７は、そのヘッドがスリーブ６の中心開口部内端縁にて係止されるため、スリーブ６から抜けることはない。ボルト７はグローブ１２にネジ込むためのもので、そのネジ込み操作のため、ボルト７にワッパー８が嵌め付けられる。
【００１４】
パイプ４内には、パイプ孔２内挿入時に潰れることがないようにするため、その全面開口端から木製、プラスチック製等の棒材９が詰め込まれる。パイプ４の側面には、棒材９を通して貫通するピン孔１０が貫設される。パイプ４は通常円形であるが、それに限られる訳ではない。
【００１５】
上記ボルト７を取り付け、棒材９を充填してピン孔１０を貫設したパイプ４は、トラス材１のパイプ孔２に嵌入した後、ドリフトピン５を打ち込むことにより固定する。その後ピン孔３に、木栓１１を詰めて、ドリフトピン５を押止する。なお、いうまでもなく、パイプ４の嵌入時にピン孔３とピン孔１０とが合致するように設計する。
【００１６】
本発明に係る木製トラス骨組部材は、従来のものと同様に、１つのグローブ１２に多数取り付け（図３）、立体トラス等を構築していく。
【図面の簡単な説明】
【００１７】
【図１】本発明に係る木製トラス骨組部材を示す長さ方向の縦断面図である。
【図２】本発明に係る木製トラス骨組部材を示す幅方向の縦断面図である。
【図３】本発明に係る木製トラス骨組部材の使用状態図である。
【図４】従来の木製トラス骨組部材の構成例を示す図である。
【図５】従来の木製トラス骨組部材の他の構成例を示す図である。
【符号の説明】
【００１８】
１    トラス材
２    パイプ孔
３    ピン孔
４    パイプ
５    ドリフトピン
６    スリーブ
７    固定ボルト
８    ワッパー
９    棒材
１０    ピン孔
１１    木栓
１２    グローブ
【図１】
2005171498.tif 000003
【図２】
2005171498.tif 000004
【図３】
2005171498.tif 000005
【図４】
2005171498.tif 000006
【図５】
2005171498.tif 000007